(57)【要約】      （修正有）【課題】操作性よく、旧札を優先して入出金カセットから回収する。【解決手段】紙幣処理装置は、新札を収納する第１の入出金カセット４と、新札と額面金額が同じ旧札を収納する第２の入出金カセット５，６と、回収すべき紙幣を収納する補充回収カセット８と、第１及び第２の入出金カセットとそこに集積する紙幣の額面金額及び枚数の対応関係を管理する管理手段と、第１及び第２の入出金カセット４，５，６に収納される紙幣の最大集積枚数を設定する第１の設定手段と、新札と旧札とを区別して紙幣処理を行う制御部とを有し、制御部は、本体制御部からの指令に応じて、第１の入出金カセット内４に設定された最大集積枚数未満の新札が集積しているか否かに応じて紙幣を補充回収カセット８に回収し、本体制御部からの紙幣出金の指令に応じて、第１の入出金カセット４に集積された新札を優先して出金するように制御する。【選択図】図３
2010003314.tif 000002
【特許請求の範囲】
【請求項１】
回収すべき紙幣の額面金額及び枚数の入力を受け付ける係員操作部と、紙幣を取扱う紙幣処理装置と、該係員操作部が受け付けた回収すべき紙幣の額面金額及び枚数を指定する指令を該紙幣処理装置に発する本体制御部とを備え、
該紙幣処理装置は、新札を収納する第１の入出金カセットと、該新札と額面金額が同じ旧札を収納する第２の入出金カセットと、回収すべき紙幣を収納する補充回収カセットと、該第１及び第２の入出金カセットとそこに集積する紙幣の額面金額及び枚数の対応関係を管理する管理手段と、該第１及び第２の入出金カセットに収納される紙幣の最大集積枚数を設定する第１の設定手段と、新札と旧札とを区別して紙幣処理を行う制御部とを有し、
該制御部は、該本体制御部からの前記回収すべき紙幣の額面金額及び枚数を指定する指令に応じて、該第１の入出金カセット内に該第１の設定手段により設定された最大集積枚数未満の新札が集積している場合は、第２の入出金カセットに集積された旧札、該第１の入出金カセットに集積された新札の順に紙幣を該補充回収カセットに回収し、該第１の入出金カセット内に該第１の設定手段により設定された最大集積枚数以上の新札が集積している場合は、該第１の入出金カセットに集積された新札、第２の入出金カセットに集積された旧札の順に紙幣を該補充回収カセットに回収し、該本体制御部からの紙幣出金の指令に応じて、第１の入出金カセットに集積された新札を優先して出金するように制御することを特徴とする現金自動取引装置。
【発明の詳細な説明】
【技術分野】
【０００１】
本発明は、銀行業務等において用いられる紙幣処理装置に係り、特に新旧の紙幣を混在して取扱う現金自動取引装置（以下、ＡＴＭ）における紙幣の回収に関するものである。
【背景技術】
【０００２】
金融機関の係員窓口に設置されるＡＴＭは、顧客の要求に応じて、顧客より入金される紙幣を入出金カセットに収納し、また顧客に支払う紙幣を入出金カセットから繰り出して出金する機能を有している。この機能は、主にＡＴＭ内に実装される紙幣処理装置の機構によって実現される。
【０００３】
入金の場合、紙幣処理装置内に備えられた識別部で、入金される紙幣の真偽判定や寸法判定を含む複数の項目について判定が行われ、その判定結果に従って紙幣が正常か異常を識別する。判定の結果、正常な紙幣は金種別に決められた入出金カセットに収納される。異常と識別された紙幣は入金が拒否され、顧客へ返却される。
出金の場合、顧客が要求した金額に応じて入出金カセットから紙幣を繰り出し、識別部で紙幣の正常異常を識別し、異常と判定された紙幣はリジェクトカセットへ送って収納し、正常と判定された紙幣を顧客へ出金する。
【０００４】
ところで、新札を発行する目的の１つとして紙幣の偽造を防止することがある。即ち紙幣のデザインを新しくして紙幣を偽造し難い構造とし、偽造紙幣（偽札）の市場での流通を防ぐ。日本においても、偽札の流通量増加に伴う経済への悪影響（金融不安、インフレーション、各企業の偽札対策費用の発生等）を防ぐため、２００４年に新１万円札や新千円札、新５千円札が発行された。
【０００５】
また韓国では、２００５年度末における偽札の発見量は、２００４年度末と比べて約４倍となっており、２００６年には新しいデザインの紙幣（新札）の発行が予定されている。上記の理由から、デザインの変更前の紙幣（旧札）の流通量を早急に減らし、偽造しにくい構造とした新札の流通量を増やしたいために、政府から各金融機関へ旧札の回収を促す要請を行う場合もある。
【０００６】
新札が発行された場合、顧客からは新札を入手したいという要求もあり、顧客サービスの一環として、要求に応じてＡＴＭから新札を出金することもある。新札及び旧札の紙幣を取り扱うＡＴＭに関する従来技術としては以下のものが挙げられる。
例えば、特開平７−２８２３２０公報（特許文献１）には、新札が装填される補充回収カセットと、旧札が装填される入出金カセットと、新札及び旧札の支払い金額を指定する支払指定手段とを設け、その支払指定手段の指定に基づいて、新札又は旧札を該当するカセットから出金する装置が開示されている。
また、特開２００４−３５５０６２公報（特許文献２）には、利用者が出金形態を選択するキーを操作することにより新札又は旧札の紙幣を出金する紙幣取扱装置が開示されている。
【０００７】
また、特開平９−５０５５１公報（特許文献３）には、新札専用の第１金庫と、新札以外の利用可能な紙幣を収納する第２金庫と、紙幣補充用の第３金庫を備え、顧客が入金した紙幣又は係員が補充する紙幣を真偽鑑別して、第１又は第２の該当する金庫に収納する装置が開示されている。
更に、特開昭６０−１９５６９２公報（特許文献４）には、ＡＴＭに預入れられた現金を支払用現金として還流されるか、又は還流させずに回収するかを金種別に指定する手段を設け、この指定手段により旧札は還流禁止として回収するようにした装置が開示されている。
【先行技術文献】
【特許文献】
【０００８】
【特許文献１】特開平７−２８２３２０号公報
【特許文献２】特開２００４−３５５０６２公報
【特許文献３】特開平９−５０５５１号公報
【特許文献４】特開昭６０−１９５６９２号公報
【発明の概要】
【発明が解決しようとする課題】
【０００９】
ＡＴＭに一度入金した紙幣を還流させて再び出金する場合には、それらの紙幣を入出金カセットの中で整然と整列させる必要がある。紙幣を整然と整列させる簡便な方法は、入出金カセットの内部の大きさを取り扱う紙幣の大きさに合わせることである。
【００１０】
図１２に示すように、韓国の紙幣は、旧札と新札の寸法差が大きい。そのため、同じ金種の紙幣に対して同じ入出金カセットが使えない可能性がある。すなわち、紙幣の大きさに対して入出金カセット内部の大きさが大きい場合には、入金された紙幣を整然と整列させることが難しく、紙幣を再度出金する場合、入出金カセットの入口に紙幣がひっかかってしまう可能性がある。一方、紙幣の大きさに対して入出金カセットが小さいと、紙幣を集積することが出来なくなる。
韓国紙幣のように、新札と旧札の寸法が大きく異なる紙幣を混在して取り扱う紙幣処理装置では、同じ額面の紙幣用の入出金カセットを新旧別に装備していなければならず、これでは装置の実装スペースが大きくなり、コスト高となる。
【００１１】
さらに、紙幣処理装置の内部に設けられ、取り扱う紙幣の最大幅に合わせて設計された紙幣の搬送路は、韓国の新札と旧札のように寸法差が大きい場合には、幅の広い旧札に合わせた搬送路の幅とする必要がある。そこで、幅の広い搬送路を用いて幅の狭い新札を扱うと、その差の分だけ新札が斜めにずれやすくなり、紙幣処理装置の性能低下を招く。取り扱う紙幣が新札のみで良ければ、搬送路の幅を新札に合わせて狭くすることができるため、紙幣処理装置の性能を向上させることができるが、現実的でない。上記の理由から考えても、新札と旧札を混在して取り扱う期間は短い方がよく、旧札を早急に回収することが望ましい。
【００１２】
本発明の目的は、操作性を良くして旧札を回収することができる現金自動取引装置を提供することにある。
本発明の他の目的は、回収したい紙幣の額面金額及び枚数を指定することにより対象となる紙幣を容易に回収することができる現金自動取引装置を提供することにある。
【課題を解決するための手段】
【００１３】
本発明に係る現金自動取引装置は、好ましくは、回収すべき紙幣の額面金額及び枚数の入力を受け付ける係員操作部と、紙幣を取扱う紙幣処理装置と、該係員操作部が受け付けた回収すべき紙幣の額面金額及び枚数を指定する指令を該紙幣処理装置に発する本体制御部とを備え、該紙幣処理装置は、新札を収納する第１の入出金カセットと、該新札と額面金額が同じ旧札を収納する第２の入出金カセットと、回収すべき紙幣を収納する補充回収カセットと、該第１及び第２の入出金カセットとそこに集積する紙幣の額面金額及び枚数の対応関係を管理する管理手段と、該第１及び第２の入出金カセットに収納される紙幣の最大集積枚数を設定する第１の設定手段と、新札と旧札とを区別して紙幣処理を行う制御部とを有し、該制御部は、該本体制御部からの前記回収すべき紙幣の額面金額及び枚数を指定する指令に応じて、該第１の入出金カセット内に該第１の設定手段により設定された最大集積枚数未満の新札が集積している場合は、第２の入出金カセットに集積された旧札、該第１の入出金カセットに集積された新札の順に紙幣を該補充回収カセットに回収し、該第１の入出金カセット内に該第１の設定手段により設定された最大集積枚数以上の新札が集積している場合は、該第１の入出金カセットに集積された新札、第２の入出金カセットに集積された旧札の順に紙幣を該補充回収カセットに回収し、該本体制御部からの紙幣出金の指令に応じて、第１の入出金カセットに集積された新札を優先して出金するように制御することを特徴とする。
【発明の効果】
【００１４】
本発明によれば、操作性よく、旧札を優先して入出金カセットから回収することができる。また、回収したい紙幣の額面金額及び枚数を上位の制御部から指定することにより紙幣を容易に回収することができる。
【図面の簡単な説明】
【００１５】
【図１】ＡＴＭの概観を示す斜視図。
【図２】一実施例におけるＡＴＭの制御ブロック図。
【図３】一実施例による紙幣処理装置１００の構成を示す図。
【図４】一実施例による紙幣処理装置１００の制御ブロック図。
【図５】一実施例におけるＡＴＭの本体制御部５０から紙幣処理装置制御部５４に回収動作を指示するための命令のフォーマットを示す図。
【図６】一実施例による紙幣処理装置における紙幣の回収の動作フロー図。
【図７】一実施例による紙幣処理装置における出金の動作フロー図。
【図８】他の実施例による紙幣処理装置の構成を示すブロック図。
【図９】他の実施例による紙幣処理装置における紙幣の回収動作フロー図。
【図１０】他の実施例による紙幣処理装置における新札専用入出金カセットと旧札専用入出金カセット内部の紙幣状態の組み合わせを示す図。
【図１１】他の実施例による紙幣処理装置における新札専用入出金カセットと旧札専用入出金カセット内部の紙幣状態の組み合わせを示す図。
【図１２】韓国の新旧紙幣の寸法関係を示す図。
【発明を実施するための形態】
【００１６】
（実施例１）
以下、本発明の一実施形態について、図面を参照して詳細に説明する。
図１は、一実施例が適用されるＡＴＭの外観を示す斜視図である。
ＡＴＭ１０１は、顧客の取引カードや取引明細票を処理するカード・明細票処理装置１０２と、通帳を処理する通帳処理装置１０３と、硬貨を処理する硬貨処理装置１０４と、紙幣を処理する紙幣処理装置１００と、取引に必要な情報を表示し及び顧客の操作を入力する顧客操作部１０５を備えている。
【００１７】
図２は、ＡＴＭ１０１の制御ブロックを示す。
ＡＴＭ１０１内には、カード・明細票処理装置１０２、通帳処理装置１０３、硬貨処理装置１０４、紙幣処理装置１００、顧客操作部１０５、係員操作部５２、及びこれら各部を制御する本体制御部５０が実装される。各部１００〜１０５，５２は本体制御部５０の制御の下に必要な処理動作を行う。例えば、本体制御部５０は紙幣処理装置制御部５４に対して、紙幣処理装置１００における処理動作例えば紙幣の回収の制御を行う。また、本体制御部５０はホストコンピュータ５３に接続され、ホストコンピュータ５３との間で必要なデータのやりとりを行う。
【００１８】
顧客操作部１０５はタッチパネルを備え、そこに必要な操作内容を表示し、顧客の入力を案内する。たとえば、預入、引出し、振込み等の取引種別の入力や、暗証暗号、金額の入力等の指示を表示し、顧客からの入力を受けて、本体制御部５０に伝える。係員操作部５２は銀行の係員等の作業者がＡＴＭを運用、保守を行うための操作部であり、紙幣枚数のセットのための入力部、及び装置状態、運用モード、障害個所等を表示するための表示部を有する。
【００１９】
図３は、紙幣処理装置１００の構成を示す図である。
入出金口１には入金する紙幣Ｓが投入され、また出金や返却する紙幣Ｓが放出される。識別部２は入出金する紙幣Ｓの金種の判定及び紙幣の正常性即ち紙幣が正常か異常か等の複数の判定項目について識別する。一時保留部３は投入された紙幣Ｓに対する処理が確定するまで紙幣Ｓを一時的に保留する。入出金カセット４、５、６は金種別の紙幣収納用のカセットであり、入金された紙幣Ｓを集積し及び支払いのための紙幣を放出する。ここで、入出金カセット４〜６は、各カセットを識別する固有の識別情報を記憶したＩＣチップのような記憶素子が取り付けられている。また各入出金カセット４〜６が装填された状態の場所には、各ＩＣチップの識別情報を読み取るセンサが設けられている。なお、図３には図示されないが、入出金カセット４〜６の各出入口には紙幣の通過を監視する出入口センサ（４２（図４））が配置される。
【００２０】
本実施例では韓国札を扱い、入出金カセット４は新万ウォン札専用、入出金カセット５は旧万ウォン札専用、入出金カセット６は旧千ウォン札専用とする。即ち、これらの紙幣はそれぞれ対応するカセットに収納されて出金用として還流するが、これらの紙幣以外例えば、新旧５千ウォンや新千ウォンは出金されない。しかし、新旧５千ウォンや新千ウォンを入出金するＡＴＭを実現するならば、それら専用の入出金カセットも追加して実装するのがよい。
【００２１】
７は一時保留部３から金種別の入出金カセットへ集積する際に、識別部２で異常と判定された紙幣Ｓを集積するリジェクトカセットである。リジェクトカセット７には、入出金カセット４〜６から繰出されて識別部２で異常と判断された紙幣Ｓも集積される。また、新旧５千ウォンや新千ウォンの出金機能を持たないＡＴＭにおいては、それらの紙幣が入金されたら、それらの紙幣はリジェクトカセット７に収納される。
８は銀行の係員によってＡＴＭに脱着可能な補充回収カセットであり、顧客の取引中でも、識別部２を通して各金種別の入出金カセット４〜６に紙幣Ｓを補充したり、各金種別の入出金カセット４〜６から識別部２を通して回収したりする。補充回収カセット８の内部はセパレータ９によって２つの室に分割され、補充する紙幣Ｓや回収した紙幣Ｓを集積する補充回収部１０と、補充の際に補充回収部１０から繰り出された紙幣Ｓのうちで、識別部２によって異常と識別された紙幣Ｓを集積する補充リジェクト部１１を有する。Ｌ１〜Ｌ１０は紙幣Ｓを搬送する搬送路である。
【００２２】
紙幣処理装置１００は、投入される紙幣Ｓを金種別に内部の入出金カセット４〜６およびリジェクトカセット７に収納する機能と、入出金カセット４〜６に収納されている紙幣Ｓを取り出して出金する機能と、脱着可能な補充回収カセット８から入出金カセット４〜６へ補充する機能と、入出金カセット４〜６から補充回収カセット８へ回収する機能とを有する。いずれの機能も本体制御部５０の指示に基づいて行われる。
【００２３】
上述のように、補充回収カセット８は顧客の取引中でも脱着可能であるため、紙幣処理装置内の紙幣枚数が少なくなった場合、係員は補充回収カセット８を取り外し、その中に補充用の紙幣を装填した後、再び紙幣処理装置に補充回収カセット８を装填して入出金カセット４〜６に紙幣を補充することができる。また、入出金カセットが満杯になった場合や、任意の枚数の紙幣を紙幣処理装置から取り出したい場合には、入出金カセット４〜６から補充回収カセット８に紙幣を回収することができる。
【００２４】
次に、各機能の動作について説明する。
まず、入金動作について説明する。入出金口１に投入された紙幣Ｓを入金する場合、紙幣は搬送路Ｌ１→Ｌ２→Ｌ３を搬送され、識別部２で識別される。その識別結果に基づいて、正常な紙幣Ｓは搬送路Ｌ４を通って一時保留部３に収納される。一方、異常と識別された紙幣Ｓは搬送路Ｌ６→Ｌ７を通って入出金口１へ返却される。
入出金口１の紙幣Ｓを繰り出し終えた後、入出金口１へ搬送された異常と識別された紙幣Ｓの抜き取りを顧客へ促す。その後、一時保留部３に集積された紙幣Ｓを入金するかどうか顧客へ確認を行い、入金しない場合はキャンセル動作として、一時保留部３から搬送路Ｌ５→Ｌ６→Ｌ７を通って入出金口１に紙幣Ｓを搬送し、顧客へ紙幣Ｓを返却する。一方、顧客が入金したい場合には、紙幣は一時保留部３から搬送路Ｌ５→Ｌ６→Ｌ２→Ｌ３→Ｌ８を通り識別部２で識別され、その結果、異常と判断された、あるいは入出金カセット４〜６に設定されていない金種と判断された紙幣Ｓはリジェクトカセット７に集積される。また識別部２で正常、かつ入出金カセット４〜６に設定された金種であると判断された紙幣Ｓはいずれかの入出金カセット４〜６に集積される。
【００２５】
次に、出金動作について説明する。本体制御部５０から出金の指示があった場合、指示のあった金種の紙幣Ｓが入出金カセット４〜６から繰り出され、搬送路Ｌ９→Ｌ２を通って識別部２で識別される。識別の結果、異常と判断された紙幣Ｓは搬送路Ｌ３→Ｌ８を通ってリジェクトカセット７に集積される。一方、正常と判断された紙幣Ｓは搬送路Ｌ３→Ｌ６→Ｌ７を通って入出金口１へ放出され、出金した紙幣の抜き取りを顧客へ促す。
【００２６】
次に、紙幣の補充動作については、本体制御部５０から補充の指示があると、補充回収部１０から紙幣Ｓを繰り出し、搬送路Ｌ１０→Ｌ６→Ｌ２→Ｌ３→Ｌ８を通って、識別部２で識別される。その結果正常かつ入出金カセット４〜６に設定された金種であると判断された紙幣Ｓは各金種別に入出金カセット４〜６に集積される。識別の結果、異常または入出金カセット４〜６に設定された金種でないと判断された紙幣Ｓは補充リジェクト部１１に集積される。
【００２７】
次に、紙幣の回収動作については、本体制御部５０から回収の指示があると、紙幣Ｓは入出金カセット４〜６から繰り出され、搬送路Ｌ９→Ｌ２を通って識別部２で識別される。その結果、正常と識別された紙幣Ｓは搬送路Ｌ３→Ｌ８を通って、補充回収部１０に回収して集積される。また、異常と識別された紙幣Ｓは搬送路Ｌ３→Ｌ８を通って、リジェクトカセット７に集積される。
【００２８】
図４は紙幣処理装置１００のブロック図である。
図４において、２０は紙幣処理装置１００の各部を制御する主制御部、２１は紙幣処理装置１００が接続されたＡＴＭ１０１の本体制御部５０と通信を行う通信部である。４１は紙幣を搬送する搬送路Ｌ１〜Ｌ１０を動かすための搬送モータ、４２は入出金カセット４〜６の各出入口に配置された、紙幣の通過を監視する入出金カセット出入口センサである。２２は紙幣処理装置制御部５４の内部に設けられたデータ管理部であり、これはメモリ上に展開される。
【００２９】
データ管理部２２は、各入出金カセット４〜６が何れの紙幣を扱うためのカセットであるかを記憶したカセット配置データ３０、入出金カセット４〜６に集積された紙幣枚数を表す入出金カセット集積枚数データ３１、及び補充回収カセット８に回収された枚数を表す補充回収部回収枚数データ３５を管理する。
即ち、カセット配置データ３０は、入出金カセット４〜６に何れの紙幣を集積するかを、入出金カセット４〜６の識別情報とそこに集積すべき紙幣の種類を対応付けて記憶する。例えば、入出金カセット４（例えば識別情報「００１」）は新万ウォン札、入出金カセット５（例えば識別情報「０１０」）は旧万ウォン札、入出金カセット６（例えば識別情報「０１１」）は旧千ウォン札を集積することを記憶する。入出金カセット集積枚数データ３１は、例えば、入出金カセット４、５、６に集積された、現在における紙幣の枚数が、１００枚、３００枚、２００枚のように、入出金カセット４〜６の識別情報とそこに集積される紙幣の枚数データを対応付けて記憶する。また、補充回収部回収枚数データ３５は、補充回収カセット８に回収された紙幣の枚数を紙幣の種類毎に記憶する。例えば、新万ウォン札が２０枚、旧万ウォン札が１０枚、旧千ウォン札が５枚のようなデータを記憶する。
主制御部２０は、入出金カセット出入口センサ４２で計数される出入りした紙幣の枚数と、入出金カセット集積枚数データ３１から、取引後に各入出金カセットに集積されている紙幣の枚数を計算し、入出金カセット集積枚数データ３１を更新する。
【００３０】
図５は、本体制御部５０から紙幣処理装置制御部５４へ紙幣の回収動作を指示する場合に使用される命令のフォーマットである。本体制御部５０は、新札と旧札の区別をしないで、回収すべき紙幣の種類即ち額面金額（万ウォン、千ウォン）と、それぞれの回収枚数を指定する指令を発する。新札と旧札の両方を取り扱うＡＴＭの場合でも、この命令のフォーマットは変わらない。回収すべき紙幣の種類及び回収枚数は、ＡＴＭの係員が係員操作部５２を操作して設定できる。
而して、新札と旧札を区別して判断するのは紙幣処理装置制御部５４であることから、新札が発行されても、紙幣処理装置１００の上位プログラム（本体制御部５０）を変更する必要がなく、紙幣の回収を行える。
【００３１】
次に、図６を参照して、一実施例における補充回収カセットへの回収動作について説明する。
紙幣処理装置１００は、本体制御部５０から通信部２１を介して、図５に示す指令を受けると、紙幣処理装置制御部５４の主制御部２０は、回収する紙幣の額面金額とその枚数を認識する。そして、指定された額面金額の紙幣の有無を、データ管理部２２が保持している入出金カセット集積枚数データ３１から判定する（６０１）。判定の結果、指定された額面金額の紙幣があった場合に（６０１）、同様に入出金カセット集積枚数データ３１から、その額面金額の旧札があるかどうかを確認する（６０２）。
【００３２】
この確認の結果、旧札が集積されていなければ（６０２/Ｎｏ）、新札専用入出金カセット４を選択し（６０３）、入出金カセット４から新万ウォン紙幣を回収する（６０４）。一方、指定された額面金額の旧札があれば（６０２/Ｙｅｓ）、旧札専用入出金カセット５，６を選択し（６０６）、入出金カセット５，６から旧万ウォン紙幣又は旧千ウォン紙幣を回収する（６０７）。その後、本体制御部５０より指定された枚数分の回収が完了したかを判定し（６０５）、完了していれば処理動作を終了する。完了していなければステップ６０１に戻って上記処理を再び行う。
上記の制御動作により、常に旧札を優先して回収することができ、旧札を早期回収することができる。
【００３３】
次に、図７を参照して出金動作について説明する。
この例は、新札専用入出金カセット４から優先して出金する動作例である。
本体制御部５０から通信部２１を介して、図５に示す指令により、出金する紙幣の額面金額とその枚数の指示を受けると、主制御部２０は指定された額面金額の紙幣の有無を入出金カセット集積枚数データ３１から判定する（７０１）。判定の結果、紙幣が無ければ出金処理を終了する。一方、指定された額面金額の紙幣が有れば、入出金カセット集積枚数データ３１から指定された額面金額の新札が集積されているかどうかを判定する（７０２）。その結果、新札がなければ旧札専用入出金カセット５又は６を選択し（７０３）、その入出金カセット５又は６から出金する（７０４）。そして、本体制御部５０から指定された枚数を出金したか判定して（７０５）、指定された枚数を満たしていれば、出金処理を終了する。一方、指定された枚数を満たしていなければ、ステップ７０１に戻り処理を続行する。
【００３４】
また、ステップ７０２で判定した結果、新札が紙幣処理装置内の入出金カセット４の中に集積していれば、その新札専用入出金カセット４を選択して（７０６）、その入出金カセット４から出金する（７０７）。そして同様に、出金した枚数の判定を行う（７０５）。
このような処理動作を行うことで、顧客に新札を優先して出金することが可能となり、旧札から新札への流通紙幣の移行を早めることができる。
【００３５】
（実施例２）
次に、図８以降を参照して他の実施例について説明する。
図８は紙幣処理装置１００のブロック図を示す。図４に示した紙幣処理装置１００の構成に加えて、管理データ部２２は、各入出金カセットが満杯になる時の入出金カセット最大集積枚数データ３２と、新札専用入出金カセットから補充回収カセットへ回収した時の最大回収枚数を規定した最大回収枚数データ３３を保持する。さらに、紙幣処理装置１００は、入出金カセット最大集積枚数データ３２を設定するための入出金カセット最大集積枚数設定キー４３と、最大回収枚数データ３３を設定するための最大回収枚数設定キー４４を備える。
【００３６】
図９は本実施例における補充回収カセットへの回収動作を示すフローである。
本体制御部５０から通信部２１を介して指示された指令を受けると、主制御部２０は、入出金カセット集積枚数データ３１を確認して、額面金額の紙幣があるかどうかを判定する（９０１）。その結果、額面金額の紙幣が無ければ回収動作を終了する。一方、その額面金額の紙幣が有れば、入出金カセット集積枚数データ３１より旧札が有るか否かを判定する（９０２）。この判定の結果、旧札が無ければ新札専用入出金カセット４を選択し（９０３）、新札を回収する（９０４）。
一方、旧札が有る場合（９０２）、入出金カセット集積枚数データ３１と入出金カセット最大集積枚数データ３２から、条件「旧札専用入出金カセットが最大集積枚数以上ではない、かつ新札専用入出金カセットが最大集積枚数以上であるか？」を判定する（９０６）。その判定の結果、その条件が偽であれば、旧札専用入出金カセット５又は６を選択し（９０７）、そこから紙幣を回収する（９０８）。
一方、その条件が真であれば、新札専用入出金カセット４を選択し（９０９）、新札専用入出金カセット４から最大回収枚数３３を限度として回収する（９１０）。その後、指定された枚数分の回収ができたかどうかを補充回収部回収枚数データ３５と比較することで判定し（９０５）、回収が出来ていれば処理動作を終了する。しかし、指定された枚数を満たしていなければステップ９０１へ戻り、回収動作を続ける。
【００３７】
次に、図１０及び図１１を参照して、新札専用入出金カセットと旧札専用入出金カセットの紙幣集積状態の組み合わせについて説明する。この組み合わせは、以下のように、ＣＡＳＥ1〜ＣＡＳＥ９の場合に分けられる。各ケースの処理動作について、図９により説明した動作も参照して以下に述べる。
【００３８】
ＣＡＳＥ１：
指定された額面金額の札がないために回収動作を終了する（９０１）。
ＣＡＳＥ２、ＣＡＳＥ３：
旧札専用入出金カセット５又は６を選択し（９０７）、旧札のみを回収する。
ＣＡＳＥ４：
旧札がないため（９０２）、新札専用カセットを選択し（９０３）、新札を回収する。これにより本体制御部５０から指定された回収枚数を満たすことができる。
【００３９】
ＣＡＳＥ５：
旧札専用入出金カセット５又は６から旧札を回収する（９０８）。旧札専用入出金カセット５又は６が空になっても指定された枚数を満たしていなければ（９０５）、次に新札専用入出金カセット４を選択して（９０３）、新札を回収する。これにより、旧札が優先して回収され、旧札の早期回収が行える。
ＣＡＳＥ６：
旧札が最大集積枚数以上であることから（９０６）、旧札専用入出金カセット５又は６を選択して（９０７）、旧札を回収する。旧札専用入出金カセット５又は６が空になっても指定された枚数を満たしていなければ（９０５）、次に新札専用入出金カセット４を選択して（９０３）、新札を回収する。従って、旧札から優先して回収することができる。
【００４０】
ＣＡＳＥ７；
新札専用入出金カセット４が最大集積枚数を超えていて、旧札専用入出金カセット５又は６が空であることから（９０２）、新札専用入出金カセット４から新札を回収する（９０４）。
ＣＡＳＥ８：
新札専用入出金カセット４が最大集積枚数以上の場合、新札専用入出金カセット４から回収を始めることで（９０９）、新札専用入出金カセット４内に、次回取引で入金される新札を集積するための空間を確保できる。設定された新札専用入出金カセット４の最大回収枚数３２を超えて回収を行っても（９１０）、指定された枚数を満たしていなければ(９０５)、次には旧札専用入出金カセット５又は６を選択して(９０７)、旧札を回収する(９０８)。さらに、旧札専用入出金カセット５又は６が空になっても指定された枚数を満たさなければ(９０５)、再び新札専用入出金カセット４から再び回収を行う(９０４)。このような制御動作によれば、新札専用入出金カセット４の満杯状態を解消した後に、旧札の回収を行うことができ、運用中に新札の入金があった場合にも対応できる。
また、新札が発行されたばかりで、新札の出金が多く入金が少ない時期には、最大回収枚数設定キー４４により最大集積枚数データ３２を少なめに設定することで、新札専用入出金カセット４から回収する枚数を減らし、より多くの新札出金要求に応えることができる。
【００４１】
ＣＡＳＥ９：
新札専用入出金カセット４も旧札専用入出金カセット５又は６も最大集積枚数以上に集積している場合、始めに旧札専用入出金カセット５又は６から旧札の回収を始める（９０７）。旧札専用入出金カセットが空になるまで回収しても、本体制御部５０で指定された回収枚数を満たさない場合には（９０５）、再度回収元となる入出金カセットを選択する判定を行い(９０６)、今度は最大集積枚数以上である新札専用入出金カセット４から、指定枚数に足りない枚数分の新札を回収する（９０８）。それでも本体制御部５０で指定された回収枚数を満たさない場合には（９０５）、旧札専用入出金カセットへ集積された旧札は既に回収済みなので（９０２）、新札専用入出金カセット４から再度、新札を回収する（９０４）。
【００４２】
以上のように、本実施例によれば、旧札を優先して補充回収カセット８に回収することができる。また、旧札の回収を優先的に行うが新札も回収するので、新札専用入出金カセットが満杯で取引出来なくなる事態を避けることができ、ＡＴＭの利便性が増す。 これにより、ＡＴＭの利用者へは新札が渡され、係員は旧札を回収することができ、結果として、市場に流通する旧札の量をより早く減らし、新札の量をより早く増やすことができ、顧客の要求も満たせる。
【００４３】
また、本実施例によれば、紙幣処理装置に対して、入出金カセットから補充回収カセットへの紙幣の回収を指示する場合には、新札と旧札の区別、あるいは新札専用入出金カセットや旧札専用入出金カセットの場所や数を指示する必要がなく、回収したい紙幣の額面金額と枚数を指示すればよいため、本体制御部５０の上位プログラムの変更をせずに、旧札を優先的に回収することができる。さらに、新しい第３のデザインの紙幣が発行された場合でも、紙幣の額面金額と枚数を指示すれば、旧札の優先回収が実現でき、上位プログラムの変更は不要となる。このように、上位プログラムの変更が不要か又は仮に変更したとしても必要最小限に留めることができるので、簡単で安価な回収機能を実現できる。
【００４４】
また、本実施例によれば、新札が発行されたばかりの第１の時期には、入金される旧札が多いため、旧札を優先して回収すればよく、これは本実施例の構成により実現できる。また、旧札の流通量が徐々に減少する第２の時期には、入金される旧札の量は減り、補充回収カセットへ紙幣を回収する際に、旧札専用入出金カセットが空になっても指定された回収枚数に満たない場合には、新札専用入出金カセットから回収すればよく、本実施例の構成により実現できる。さらに、新札のみが流通する第３の時期には、旧札専用入出金カセット内に旧札は存在しないため、新札専用入出金カセットから新札を回収すればよい。このように、新札と旧札が入れ替わる過渡期においても、本実施例の構成は有効である。
【００４５】
さらに本実施例によれば、各入出金カセットの最大集積枚数の設定手段と、設定した最大集積枚数を記憶する記憶手段を設け、入出金カセットから補充回収カセットへ紙幣を回収する場合、旧札専用カセットに紙幣があっても、新札専用入出金カセットに最大集積枚数以上の紙幣が集積していれば、新札専用入出金カセットから優先して回収することができる。最大集積枚数の設定手段としては、紙幣処理装置に操作用の入力キーを設け、このキーにより設定でき、また記憶手段としてはＲＡＭなどの記憶素子を用いて実現できる。これにより、新札専用入出金カセットに最大限紙幣を集積でき、旧札専用入出金カセットは未だ集積可能な状態の時に、新札を回収できるので、以降の取引で新札の入金があっても、新札専用入出金カセットへ集積することが可能となり、利便性が向上する。
【００４６】
さらに本実施例によれば、紙幣処理装置において、入出金カセットから補充回収カセットへ紙幣を回収する場合、新札専用入出金カセットに集積された紙幣の枚数が、設定された最大集積枚数以上で、かつ旧札専用入出金カセットに集積された紙幣の枚数も、設定された最大集積枚数以上であった場合に、旧札専用入出金カセットから優先して回収することができる。これにより、顧客取引で入金される可能性の高い旧札専用入出金カセットの集積枚数を減らすことができる。
【００４７】
本実施例による紙幣処理装置では、旧札専用入出金カセットへの入金と、新札専用入出金カセットからの出金が多い構成となっている。従って、旧札専用入出金カセットの枚数が最大集積枚数以下で、新札専用入出金カセットの枚数が最大集積枚数以上である場合に、旧札が入金されると、最大集積枚数以下である旧札専用入出金カセットに集積可能であり、新札が出金されると、最大集積枚数以上である新札専用入出金カセットから出金を行い、結果として新札専用入出金カセットは最大集積枚数以下となる。このように、旧札専用入出金カセットの枚数を最大集積枚数以下にした方が、顧客取引を続けられる可能性が高く、利便性が向上する。
【００４８】
さらに本実施例によれば、紙幣処理装置において、入出金カセットから補充回収カセットに紙幣を回収する場合、新札の最大回収枚数の設定手段を設け、新札専用入出金カセットから回収する際に、新札専用入出金カセットから回収した枚数が最大回収枚数に至った際に、前記新札専用入出金カセットからの回収を停止し、前記旧札専用入出金カセットから回収することができる。
これにより、新札専用入出金カセットが空になるまで、補充回収カセットへ紙幣を回収してしまうのを防ぐことができ、その後に顧客から出金要求があった際にも、新札を出金することができる。また、回収の途中で旧札専用入出金カセットから旧札を回収するように切り替えることで、係員はより多くの旧札を紙幣処理装置から回収することができ、旧札を早期に回収することができる。
【００４９】
なお、新札専用入出金カセットから最大回収枚数を回収し、旧札専用入出金カセットから空になるまで回収しても、なお要求された回収枚数に満たない場合は、再度新札専用入出金カセットから回収を始めても構わない。これにより、要求された回収指示を確実に実行することができる。
【００５０】
また、本実施例によれば、新札専用入出金カセットからの最大回収枚数を可変とすることができる。例えば、新札の流通量が少なく、旧札の流通量が多い時期には、新札の出金が多く入金が少ないため、新札専用入出金カセットから回収する最大回収枚数を少なめに設定することで、より多くの出金要求に応えることができる。また、新札の流通量が増えてくると、新札の入金取引も増加するため、新札専用入出金カセットから回収する最大回収枚数を多めに設定することで、より多くの新札を新札専用入出金カセットに受け入れることができる。上記のように新札専用入出金カセットからの最大回収枚数を可変とすることで、広範なニーズに合わせたＡＴＭの運用を行うことができ、利便性が向上する。
【００５１】
また、本実施例によれば、同額面金額の新札専用入出金カセットや旧札専用入出金カセットが複数ある場合に、最大集積枚数として、各入出金カセットの枚数の総計を設定することもできる。例えば、同額面金額の旧札専用入出金カセットが複数ある場合に、一方の旧札専用入出金カセットの集積枚数が、旧札専用入出金カセットへ集積できる限界の枚数となっても、次の顧客取引では、他方の旧札専用入出金カセットに集積すればよいため、顧客取引を続行するための問題とはならない。従って、複数の旧札専用入出金カセットへ集積可能な枚数の限界を、最大集積枚数として設定することができる。
【００５２】
本発明は上記した実施例に限定されることなく、種々変形して実施し得る。例えば、図３に示す入出金カセット４〜６の数は一例であってこれに限定されない。また何れのカセットを旧札専用とし、何れのカセットを新札専用にするかについても同様にして、図３の例に限定されない。何れにしても、データ管理部２２のカセット配置データ３０が入出金カセットとそれに収納される紙幣の種類を記憶しておくことで両者の対応関係は維持される。
また、上記実施例では、検知手段として各入出金カセットに識別情報を記憶する記憶素子を取り付け、その識別情報を検出することで各入出金カセットを認識したが、他の例によれば、新札専用入出金カセットと旧札専用入出金カセットを配置する場所を予め決めておき、紙幣処理装置の主制御部２０がその入出金カセットの位置を記憶しておくことで各入手金カセットを識別することもできる。
【００５３】
また、上記実施例では、旧札を優先して回収したが、新札を優先して回収ことも可能である。これは、例えば図６の処理動作において、旧札の処理を新札の処理に変更し、新札の処理を旧札の処理に変更することで実現できることが理解できるであろう。
【００５４】
また、上記実施例において、紙幣の最大集積枚数を固定としないで可変としてもよい。これにより、設定の柔軟性が増し、多様なニーズに応えることができる。また、残量の尺度として紙幣の枚数データを用いたが、それ以外の尺度、例えば集積した紙幣の厚みや重量等で判断することもできる。
【符号の説明】
【００５５】
１：入出金口、２：識別部、３：一時保留部、４，５，６：入出金カセット、７：リジェクトカセット、８：補充回収カセット、９：セパレータ、１０：補充回収部、１１：補充リジェクト部、２０：主制御部、２１：通信部、２２：データ管理部、３０：カセット配置データ、３１：入出金カセット集積枚数データ、３２：入出金カセット最大集積枚数データ、３３：最大回収枚数データ、４１：モータ、４２：入出金カセット出入口センサ、５０：本体制御部、５２：係員操作部、５３：ホストコンピュータ、５４：紙幣処理装置制御部、１００：紙幣処理装置、１０１：ＡＴＭ、１０２：カード・明細票処理装置、１０３：通帳処理装置、１０４：硬貨処理装置、１０５：利用者操作部。
【図１】
2010003314.tif 000003
【図２】
2010003314.tif 000004
【図３】
2010003314.tif 000005
【図４】
2010003314.tif 000006
【図５】
2010003314.tif 000007
【図６】
2010003314.tif 000008
【図７】
2010003314.tif 000009
【図８】
2010003314.tif 000010
【図９】
2010003314.tif 000011
【図１０】
2010003314.tif 000012
【図１１】
2010003314.tif 000013
【図１２】
2010003314.tif 000014